(57)【要約】【課題】  アウターを着用した際にもアウターの表面にラインが凹凸として現れ難い衣料用ストラップを提供する。【解決手段】  偏平細長状のストラップ本体と該ストラップ本体の一部分によってループを形成するように一方の先端側を中間部に掛け止める掛止具とを備えた衣料用ストラップにおいて、ストラップ本体を表組織と裏組織とを密着させて接合した二重組織から構成し、ストラップ本体の一方の先端側及び中間部に掛止具を取り付けるための掛止穴をストラップ本体を構成している両組織の隙間を幅方向へ貫通させて形成し、ストラップ本体の一方の先端側に形成された掛止穴に取り付けられた掛止具をストラップ本体の中間部に位置する掛止穴に対して着脱可能に掛け止める。【選択図】  図２
2006214045.tif 000002
【特許請求の範囲】
【請求項１】
表組織と裏組織とを密着させて接合した偏平状の二重組織からなるストラップ本体と該ストラップ本体の一部分によってループを形成するように一方の先端側を中間部に掛け止めるための掛止具とを備えており、ストラップ本体には一方の先端側及び中間部に掛止具を取り付けるための掛止穴がストラップ本体を構成している両組織の隙間を幅方向へ貫通して形成されており、ストラップ本体の一方の先端側に形成された掛止穴に取り付けられた掛止具をストラップ本体の中間に位置する掛止穴に対して着脱可能に掛け止めることができること特徴とする衣料用ストラップ。
【請求項２】
ストラップ本体の一方の先端側における掛止穴が形成された部分からストラップ本体を延長するように延片が伸びており、掛止穴に取り付けられた掛止具の該掛止穴から露出した部分が延片と重なり合う請求項１記載の衣料用ストラップ。
【請求項３】
ストラップ本体の他方の先端側を衣料に連結するための第一連結具を備えており、ストラップ本体には他方の先端側に第一連結具を取り付けるための掛止穴がストラップ本体を構成している両組織の隙間を幅方向へ貫通して形成されている請求項１又は２記載の衣料用ストラップ。
【請求項４】
ストラップ本体の他方の先端側における掛止穴が形成された部分からストラップ本体を延長するように延片が伸びており、掛止穴に取り付けられた第一連結具の該掛止穴から露出した部分が延片と重なり合う請求項３記載の衣料用ストラップ。
【請求項５】
ストラップ本体の一部分で形成されるループを衣料に連結するための第二連結具を備えており、ループに対して第二連結具が移動可能に取り付けられている請求項１乃至４のいずれか１項に記載の衣料用ストラップ。
【請求項６】
ストラップ本体の中間部に複数の掛止穴がストラップ本体を構成している両組織の隙間を幅方向へ貫通して形成されており、ストラップ本体の一方の先端側に位置する掛止穴に取り付けられた掛止具をストラップ本体の中間部に位置するいずれかの掛止穴に対して選択的に掛け止めることができる請求項１乃至５のいずれか１項に記載の衣料用ストラップ。
【請求項７】
ストラップ本体の全長に渡って複数の掛止穴がストラップ本体を構成している両組織の隙間を幅方向へ貫通して形成されており、ストラップ本体の一方の先端側に位置する掛止穴に取り付けられた掛止具をストラップ本体の中間部に位置するいずれかの掛止穴に対して選択的に掛け止めることができる請求項１乃至６のいずれか１項に記載の衣料用ストラップ。
【請求項８】
ストラップ本体を構成している両組織の一方の組織が他方の組織よりも幅広に形成さえている請求項１乃至７のいずれか１項に記載の衣料用ストラップ。
【請求項９】
請求項１乃至８のいずれか１項に記載の衣料用ストラップが連結された衣料。
【発明の詳細な説明】
【技術分野】
【０００１】
本発明は、衣料用ストラップ及び該衣料用ストラップが連結された衣料に関するものである。
【背景技術】
【０００２】
周知の通り、女性用の下着であるブラジャーや水着などに使用される衣料用ストラップは、肩からズレ落ちないように着用者に合わせて長さを調節できる機能を備えており、従来からその機能を改良した様々な衣料用ストラップが開発されている。
【０００３】
例えば、後出特許文献１には、肩紐主体の一端部片面に係る係止具を取り付けると共に、この係止具と係合する係合部を肩紐主体の表面側に複数個設けた肩紐が開示されている。
【０００４】
また、後出特許文献２には、ブラジャーを肩に吊り下げるための肩ひもの肩ひも本体部を必要に応じて広幅に形成するとともに、肩ひもの長さを調節可能に肩ひもの一端部を細幅に設け、上記肩ひもの細幅部に係止具およびブラジャーに連結する吊り具を取り付けるとともに、細幅部を折り返して係止具を一定の間隔で係止可能に上記肩ひも本体部の裏面側に被係止部を配設したブラジャーの肩ひもが開示されている。
【０００５】
ところで、近年、女性用衣服としてよく見受けられるようになったボディーにフィットするＴシャツや薄物セーターなどのアウター（以下、単に「アウター」という。）の着用に際しては、ボディーラインをより美しく表現することができる一方、アウターの表面に下着（例えば、ブラジャー）のストラップが凹凸として現れてしまい、見栄えが悪くなるという問題点があった。
【０００６】
特に、前記特許文献１や前記特許文献２に開示される従来の衣料用ストラップにおいては、ストラップ本体に対して係止具を取り付ける際に、ストラップ本体の先端部を折り返して形成したループ部に対して係止具のリング部を鎖状に連結する構成を採用しているため、係止具を係合部（被係止具）に係合させると、ストラップ本体が三重以上に折り重なった部分が生じ、また、衣料用ストラップは伸縮性や弾力性のある素材で形成されていることが多く、このため、ストラップ本体のループ部における折り返し部分に伸びようとする復元力が働いてループ部が膨らんだ状態となり、衣料用ストラップの一部分が非常に分厚くなり、アウターの表面にはっきりと凹凸が現れて見栄えが悪かった。
【０００７】
さらに、係止具を係合部（被係止具）に係合させると、係止具の一部分が衣料用ストラップの表面に露出してしまうため、衣料用ストラップの係止具が露出した面を着用者側に向けた場合には、係止具が着用者の肌に直接接触して違和感を与えてしまい、一方、ストラップの係止具が露出した面をアウター側に向けた場合には、アウターの表面に係止具の凹凸までもが現れてしまった。
【特許文献１】実開平２−３３２０５号
【特許文献２】実開平６−１６４０６号
【発明の開示】
【発明が解決しようとする課題】
【０００８】
そこで、本発明は、前記アウターを着用した際にもアウターの表面にラインが凹凸として現れ難い衣料用ストラップを得ることを技術的課題として、その具現化をはかるべく、試作・実験を繰り返した結果、偏平細長状のストラップ本体と該ストラップ本体の一部分によってループを形成するように一方の先端側を中間部に掛け止める掛止具とを備えた衣料用ストラップにおいて、ストラップ本体を表組織と裏組織とを密着させて接合した二重組織から構成し、ストラップ本体の一方の先端側及び中間部に掛止具を取り付けるための掛止穴をストラップ本体を構成している両組織の隙間を幅方向へ貫通させて形成し、ストラップ本体の一方の先端側に形成された掛止穴に取り付けられた掛止具をストラップ本体の中間部に位置する掛止穴に対して着脱可能に掛け止めれば、衣料用ストラップを偏平に形成することができるという刮目すべき知見を得、前記技術的課題を達成したものである。
【課題を解決するための手段】
【０００９】
前記技術的課題は、次の通りの本発明によって解決できる。
【００１０】
即ち、本発明に係る衣料用ストラップは、表組織と裏組織とを密着させて接合した偏平状の二重組織からなるストラップ本体と該ストラップ本体の一部分によってループを形成するように一方の先端側を中間部に掛け止める掛止具とを備えており、ストラップ本体には一方の先端側及び中間部に掛止具を取り付けるための掛止穴がストラップ本体を構成している両組織の隙間を幅方向へ貫通して形成されており、ストラップ本体の一方の先端側に形成された掛止穴に取り付けられた掛止具をストラップ本体の中間に位置する掛止穴に対して着脱可能に掛け止めることができるものである。
【００１１】
また、本発明は、前記衣料用ストラップにおいて、ストラップ本体の一方の先端側における掛止穴が形成された部分からストラップ本体を延長するように延片が伸びており、掛止穴に取り付けられた掛止具の該掛止穴から露出した部分が延片と重なり合うものである。
【００１２】
また、本発明は、前記いずれかの衣料用ストラップにおいて、ストラップ本体の他方の先端側を衣料に連結するための第一連結具を備えており、ストラップ本体には他方の先端側に第一連結具を取り付けるための掛止穴がストラップ本体を構成している両組織の隙間を幅方向へ貫通して形成されているものである。
【００１３】
また、本発明は、前記衣料用ストラップにおいて、ストラップ本体の他方の先端側における掛止穴が形成された部分からストラップ本体を延長するように延片が伸びており、掛止穴に取り付けられた第一連結具の該掛止穴から露出した部分が延片と重なり合うものである。
【００１４】
また、本発明は、前記いずれかの衣料用ストラップにおいて、ストラップ本体の一部分で形成されるループを衣料に連結するための第二連結具を備えており、ループに対して第二連結具が移動可能に取り付けられているものである。
【００１５】
また、本発明は、前記いずれかの衣料用ストラップにおいて、ストラップ本体の中間部に複数の掛止穴がストラップ本体を構成している両組織の隙間を幅方向へ貫通して形成されており、ストラップ本体の一方の先端側に位置する掛止穴に取り付けられた掛止具をストラップ本体の中間部に位置するいずれかの掛止穴に対して選択的に掛け止めることができものである。
【００１６】
また、本発明は、前記いずれかの衣料用ストラップにおいて、ストラップ本体の全長に渡って複数の掛止穴がストラップ本体を構成している両組織の隙間を幅方向へ貫通して形成されており、ストラップ本体の一方の先端側に位置する掛止穴に取り付けられた掛止具をストラップ本体の中間部に位置するいずれかの掛止穴に対して選択的に掛け止めることができるものである。
【００１７】
また、本発明は、前記いずれかの衣料用ストラップにおいて、ストラップ本体を構成している両組織の一方の組織が他方の組織よりも幅広に形成されているものである。
【００１８】
また、本発明に係る衣料は、前記いずれかの衣料用ストラップが連結されたものである。
【００１９】
また、本発明の他の実施の形態としては、掛止具又は第一連結具が、ストラップ本体に形成された掛止穴と鎖状に連結されるリング部と、該リング部の外縁から伸びるフック部とからなり、リング部に切欠部が形成されているものであってもよい。
【発明の効果】
【００２０】
本発明によれば、ストラップ本体を表組織と裏組織とを密着させて接合した偏平状の二重組織から構成して該両組織の隙間を幅方向へ貫通する掛止穴を形成し、その掛止穴に対して掛止具を取り付ける構造を採用したので、ストラップ本体が三重以上に折り重なった部分が生じず、また、掛止具が取り付けられた掛止穴を構成する両組織には密着しようとする復元力が働いて掛止穴の膨らみが最小限に抑えられるため、衣料用ストラップを偏平に形成することができ、アウターの表面に凹凸が現れ難くなる。また、長さの調節をストラップ本体に形成された掛止穴に対する掛止具の掛け止めによって行うため、着用時や洗濯時に掛止具を掛け止めた位置が移動せず、着用感を安定させることができる。
【００２１】
従って、本発明の産業上利用性は非常に高いといえる。
【発明を実施するための最良の形態】
【００２２】
以下、本発明の実施の形態を図面に基づき説明する。
【００２３】
実施の形態１．
【００２４】
図１は本実施の形態に係る衣料用ストラップを備えたブラジャーの斜視図である。図２は衣料用ストラップの一部省略斜視図である。図３は図２に示す衣料用ストラップの掛止具を示した斜視図である。図４は図２に示す衣料用ストラップの一方側を示した断面図である。図５は第一連結具又は第二連結具の他の実施例を示した斜視図である。これらの図において、１は、一対の衣料用ストラップ２が連結されたブラジャーであり、衣料用ストラップ２は、図２に示すように、偏平細長状のストラップ本体３と、ストラップ本体３の一部分によってループを形成するように一方の先端部４を中間部５に掛け止める掛止具６と、ストラップ本体３の他方の先端部７をブラジャー１のバンド部８に設けられた連結片９（図１参照）に対して掛け止めるための第一連結具１０と、ストラップ本体３の一部分で形成されたループをブラジャー１のカップ部１１に設けられた連結片１２（図１参照）に対して掛け止めるための第二連結具１３と構成されている。
【００２５】
ストラップ本体３は、表組織１４と裏組織１５とを密着させて接合してなる二重組織からなっている。表組織１４と裏組織１５とは、両組織１４，１５の幅方向へ伸びる複数の接合部１６を介して接合されており、各接合部１６は、両組織１４，１５の一方の先端から他方の先端まで所定間隔毎に設けられている。これにより、隣り合う接合部１６の間に両組織１４，１５の隙間を幅方向へ貫通する掛止穴１７が形成される。
【００２６】
具体的には、例えば、平織、綾織又は朱子織などの各種織によって両組織１４，１５を形成し、一方の組織を構成する経糸に対して織り込まれる緯糸を所定本数目毎に他方の組織を構成する経糸に対しても織り込んで両組織１４，１５を接合することにより二重組織を形成すればよい。これにより、ストラップ本体３には、両組織１４，１５を接合する緯糸の間に両組織１４，１５の隙間を幅方向へ貫通する掛止穴１７が形成される。両組織１４，１５を形成する糸としては、合成繊維や人造繊維などの化学繊維又は天然繊維からなる糸を使用すればよく、具体的には、フィラメント糸、スパンデックス糸、ウーリー糸を使用すればよい。なお、両組織１４，１５を編組織で形成してもよい。
【００２７】
また、両組織１４，１５を織組織や編組織によって形成する場合には、一旦長尺状に形成されたものをストラップ本体３の長さに合わせて切断して使用した際に、切断端となるストラップ本体３の先端がほつれ易くなるため、切断後にストラップ本体の先端に対してかん止めやオーバーロックなどの縫製処理を施せばよい。また、両組織を構成する糸として熱接着性繊維からなる糸（例えば、商品名：エルダー糸・東レ株式会社製）を用いた場合には、ストラップ本体の先端に対して超音波カットやヒートカットの熱接着処理を施せばよい。
【００２８】
掛止具６は、図３に示すように、略ｅ字状の偏平体であり、角丸長方形状のリング部１８と、リング部１８の外縁から該リング部１８の長辺と平行に伸びる先端鉤状のフック部１９とから構成されている。そして、リング部１８の中空孔２０は、ストラップ本体３が通過できる幅に形成されている。
【００２９】
なお、第一連結具１０及び第二連結具１３は共に掛止具６と同様の構成となっている。
【００３０】
掛止具６、第一連結具１０又は第二連結具１３は、スチール、ステンレス又はアルミニウムなどの錆難い金属やポリエチレン、シリコン又はアクリルなどの合成樹脂によって形成すればよく、また、金属によって形成した後に表面をナイロンなどの合成樹脂によってコーティングしたものであってもよい。
【００３１】
次に、本実施の形態に係る衣料用ストラップ２の組立方法を説明する。
【００３２】
先ず、表組織１４と裏組織１５とを両先端を除いて接合してなるストラップ本体３を第二連結具１３のリング部１８に通し、続いて、ストラップ本体３の一方の先端部４を構成する表組織１４と裏組織１５との間に掛止具６のリング部１８の一辺を挟んだ状態でストラップ本体３の一方の先端を接合することにより、ストラップ本体３の一方の先端部４に形成される掛止穴１７ａに対して掛止具６のリング部１８を鎖状に連結する。次に、ストラップ本体３の他方の先端部７を構成する表組織１４と裏組織との間に第一連結具１０のリング部１８の一辺を挟んだ状態でストラップ本体３の他方の先端を接合することにより、ストラップ本体３の他方の先端部７に形成される掛止穴１７ｂに対して第一連結具１０のリング部１８を鎖状に連結する。最後に、図４に示すように、掛止具６のフック部１９をストラップ本体の中間部に形成されたいずれかの掛止穴１７に対して掛け止めてストラップ本体３の一方側をループ状に形成する。なお、この時、ストラップ本体３のループ状に形成された一方側に第二連結具１３を位置付ける。
【００３３】
そして、衣料用ストラップ２をブラジャー１に対して取り付ける際には、図１に示すように、ブラジャー１のバンド部８に設けられたループ状の連結片９に対して第一連結具１０のフック部１９を掛け止めると共に、ブラジャー１のカップ部１１に設けられたループ状の連結片１２に対して第二連結具１３のフック部１９を掛け止める。この時、衣料用ストラップ２の表組織１４のみからなる面をアウター側に向ければ、アウターの表面に凹凸がより現れ難くなる。なお、衣料用ストラップ２をブラジャー１に対して取り付ける際に、ブラジャー１のバンド部８に設けられた連結片９に対して第二連結具１３を掛け止めると共に、ブラジャー１のカップ部１１に設けられた連結片１２に対して第一連結具１０を掛け止めてもよい。
【００３４】
なお、第一連結具１０や第二連結具１３としては、図５の（ａ）に示すリング状のものや図５の（ｂ）に示す８字状のものを使用してもよい。また、第一連結具１０は、必ずしも設ける必要がなく、ストラップ本体３の他方の先端部７を直接ブラジャー１に対して縫い付けてもよい。さらに、第二連結具１３も、必ずしも設ける必要がなく、ブラジャー１にフック部を有する連結具（図示せず）を取り付けて該連結具にストラップ本体３の一方側に形成されたループを掛け止めてもよい。
【００３５】
本実施の形態に係る衣料用ストラップ２は、ブラジャーに限らず、肩に吊り下げる構造を採用したものであれば、ボディースーツ、スリップ又はキャミソール等の下着や水着などの衣料品に対しても使用することができる。
【００３６】
実施の形態２．
【００３７】
図６は本実施の形態に係る衣料用ストラップを示した一部省略斜視図である。図７は図６に示す衣料用ストラップにおけるストラップ本体の掛止具が取り付けられる一方の先端側を示した斜視図である。図８は図６に示す衣料用ストラップの一方側を示した断面図である。図９は第一連結具の他の実施例を示した斜視図である。これらの図において、図１〜図５と同一符号は同一又は相当部分を示している。
【００３８】
本実施の形態に係る衣料用ストラップのストラップ本体は、図６に示すように、表組織１４が裏組織１５よりも幅広に形成されており、表組織１４の側縁部２１を残すように該表組織１４の中央に裏組織１５を位置付けた状態で密着させて接合してなる二重組織からなっている。なお、表組織１４と裏組織１５とは、前記実施の形態１と同様に両組織１４，１５の幅方向へ伸びる複数の接合部１６を介して接合されており、各接合部１６は、両組織１４，１５の一方の先端から他方の先端まで所定間隔毎に設けられている。これにより、隣り合う接合部１６の間に両組織１４，１５の隙間を幅方向へ貫通する掛止穴１７が形成される。
【００３９】
掛止具６は、図７に示すように、略ｅ字状の偏平体であってストラップ本体３を構成する表組織１４の幅と同一の幅又は該幅よりも短い幅に形成されており、角丸長方形状のリング部１８と、リング部１８の外縁から該リング部１８の長辺と平行に伸びる先端部鉤状のフック部１９とから構成されている。そして、リング部１８には、フック部１９と隣り合う長辺に切欠部２２が形成されており、リング部１８の中空孔２０は、ストラップ本体２を構成する裏組織１５が通過できる幅に形成されている。
【００４０】
なお、第一連結具１０は、掛止具と同様の構成となっている。また、第二連結具１３は、掛止具６よりも幅広に形成されており、リング部１８の中空孔２０がストラップ本体３を通過できる幅に形成されている外は、掛止具６と同様の構成となっている。
【００４１】
次に、本実施の形態に係る衣料用ストラップ２の組立方法を説明する。
【００４２】
先ず、表組織１４と裏組織１５とを接合してなるストラップ本体２を第二連結具１３のリング部１８に通し、続いて、図７に示すように、ストラップ本体２の一方の先端部４近傍に形成された掛止穴１７ａを掛止具６のリング部１８に形成された切欠部２２から該リング部１８に通すことにより、掛止穴１７ａに対して掛止具６のリング部１８を鎖状に連結する。これにより、ストラップ本体３の一方の先端部４が該先端部４近傍からストラップ本体３を延長するように伸びる延片２３となって掛止具６の掛止穴１７ａから露出した部分と重なり合う。次に、図６に示すように、ストラップ本体３の他方の先端部７近傍に形成された掛止穴１７ｂを第一連結具１０のリング部１８に形成された切欠部２２から該リング部１８に通すことにより、掛止穴１７ｂに対して第一連結具１０を鎖状に連結する。これにより、ストラップ本体３の他方の先端部７が該先端部７近傍からストラップ本体３を延長するように伸びる延片２４となって掛止具６の掛止穴１７ｂから露出した部分と重なり合う。最後に、掛止具６のフック部１９をストラップ本体３の中間部５に形成されたいずれかの掛止穴１７に対して掛け止めてストラップ本体３の一方側をループ状に形成する。なお、この時、ストラップ本体３のループ状に形成された一方側に第二連結具１３を位置付ける。
【００４３】
本実施の形態に係る衣料用ストラップ２によれば、表組織１４の幅を裏組織１５の幅よりも幅広に形成して表組織１４の側縁部２１を残すように裏組織１５を表組織１４と接合したので、掛止具６のフック部１９をストラップ本体２の掛止穴１７に対して掛け止める際に、フック部１９の先端を表組織１４の側縁部２１から滑らせて掛止穴１７に挿入できるため、掛止具６の掛止穴１７に対する掛け止め作業をスムーズに行うことができる。
【００４４】
また、掛止具６の幅を表組織１４の幅と同一の幅又は該幅よりも短い幅としており、ストラップ本体３の掛止具６を掛け止める掛止穴１７ａが形成された部分からストラップ本体３を延長するように伸びる延片２３を設けたので、掛止具６をストラップ本体３の中間部５に形成された掛止穴１７に掛け止めた際に、掛止具６の掛止穴１７ａから露出した部分が延片２３と重なり合って覆われた状態となり、掛止具６が着用者に対して直接接触することを防止できる。
【００４５】
さらに、掛止具６及び第二連結具１３のリング部１８に切欠部２２を形成したので、ストラップ本体３の両組織１４，１５を接合した後においてもストラップ本体３に形成された掛止穴１７に対して自由に着脱することができる。
【００４６】
なお、第一連結具１０としては、図９の（ａ）や図９の（ｂ）に示すような略８字状であって二つの中空孔を分断する辺に切欠部２２を形成したものや図９の（ｃ）に示すようなＣ字状のものを使用してもよい。
【００４７】
実施の形態３．
【００４８】
本実施の形態は前記実施の形態２における延片の変形例であり、図１０は本実施の形態に係る衣料用ストラップの一方側を示した断面図である。この図において、図１から図９と同一符号は同一又は相当部分を示している。
【００４９】
本実施の形態に係る衣料用ストラップの延片２３は、図１０に示すように、ストラップ本体３における掛止具６を取り付けるための掛止穴１７ａが形成された一方の先端部４近傍からストラップ本体３を延長するように伸びる表組織１４のみによって構成されている。
【００５０】
本実施の形態においても前記実施の形態２と同様の作用・効果を得ることができる。
【００５１】
なお、本実施の形態に係る構成を第一連結具１０が取り付けられるストラップ本体３の他方の先端部７に採用してもよい。
【００５２】
また、延片をストラップ本体と別体で構成し、ストラップ本体に対して着脱できるように取り付けてもよい。
【図面の簡単な説明】
【００５３】
【図１】実施の形態１に係る衣料用ストラップを備えたブラジャーの斜視図である。
【図２】衣料用ストラップの一部省略斜視図である。
【図３】図２に示す衣料用ストラップの掛止具を示した斜視図である。
【図４】図２に示す衣料用ストラップの一方側を示した断面図である。
【図５】第一連結具又は第二連結具の他の実施例を示した斜視図である。
【図６】実施の形態２に係る衣料用ストラップを示した一部省略斜視図である。
【図７】図５に示す衣料用ストラップにおけるストラップ本体の掛止具が取り付けられる一方の先端側を示した斜視図である。
【図８】図５に示す衣料用ストラップの一方側を示した断面図である。
【図９】第一連結具の他の実施例を示した斜視図である。
【図１０】実施の形態３に係る衣料用ストラップの一方の先端側を示した斜視図である。
【符号の説明】
【００５４】
１  ブラジャー
２  衣料用ストラップ
３  ストラップ本体
４  一方の先端部
５  中間部
６  掛止具
７  他方の先端部
８  バンド部
９，１２  連結片
１０  第一連結具
１１  カップ部
１３  第二連結具
１４  表組織
１５  裏組織
１６  接合部
１７  掛止穴
１８  リング部
１９  フック部
２０  中空孔
２１  側縁部
２２  切欠部
２３，２４  延片
【図１】
2006214045.tif 000003
【図２】
2006214045.tif 000004
【図３】
2006214045.tif 000005
【図４】
2006214045.tif 000006
【図５】
2006214045.tif 000007
【図６】
2006214045.tif 000008
【図７】
2006214045.tif 000009
【図８】
2006214045.tif 000010
【図９】
2006214045.tif 000011
【図１０】
2006214045.tif 000012